(57)【要約】  一実施形態に係る光コネクタ付きファイバ接続構造は、互いに隣接する２本以上の光ファイバを含む少なくとも３つのグループを有し、各グループにおいて、２本以上の光ファイバは、互いに交差することなく第１多心コネクタから第２多心コネクタまで延びており、少なくとも３つのグループのうち２つのグループの光ファイバは、第１多心コネクタから第２多心コネクタに向かう途中で互いに交差しており、当該２つのグループ以外のグループの光ファイバは、第１多心コネクタから延びる他の光ファイバに交差することなく第１多心コネクタから第２多心コネクタまで延びている。
2020084774.tif 000002
【特許請求の範囲】
【請求項１】
第１多心コネクタと、第２多心コネクタと、前記第１多心コネクタ及び前記第２多心コネクタを互いに接続する複数の光ファイバとを備えた光コネクタ付きファイバ接続構造であって、
前記複数の光ファイバは、前記第１多心コネクタにおいて互いに隣接する２本以上の前記光ファイバを含む少なくとも３つのグループを有し、
各前記グループにおいて、２本以上の前記光ファイバは、互いに交差することなく前記第１多心コネクタから前記第２多心コネクタまで延びており、
前記少なくとも３つのグループのうち２つのグループの前記光ファイバは、前記第１多心コネクタから前記第２多心コネクタに向かう途中で互いに交差しており、
前記２つのグループ以外のグループの前記光ファイバは、前記第１多心コネクタから延びる他の光ファイバに交差することなく前記第１多心コネクタから前記第２多心コネクタまで延びている、
光コネクタ付きファイバ接続構造。
【請求項２】
前記少なくとも３つのグループは、第１グループと、前記第１グループに隣接する第２グループと、前記第２グループに隣接する第３グループと、前記第３グループに隣接する第４グループとを含んでおり、
前記第１グループの前記光ファイバ、及び前記第２グループの前記光ファイバは、前記第１多心コネクタから延びる他の前記光ファイバに交差することなく、前記第１多心コネクタから前記第２多心コネクタまで延びており、
前記第３グループの前記光ファイバ、及び前記第４グループの前記光ファイバは、前記第１多心コネクタから前記第２多心コネクタに向かう途中で互いに交差している、
請求項１に記載の光コネクタ付きファイバ接続構造。
【請求項３】
前記少なくとも３つのグループは、第１グループと、前記第１グループに隣接する第２グループと、前記第２グループに隣接する第３グループと、前記第３グループに隣接する第４グループとを含んでおり、
前記第１グループの前記光ファイバは、前記第１多心コネクタから延びる他の前記光ファイバに交差することなく、前記第１多心コネクタから前記第２多心コネクタまで延びており、
前記第２グループの前記光ファイバは、前記第１多心コネクタから前記第２多心コネクタに向かう途中で前記第３グループの前記光ファイバに交差すると共に前記第４グループの前記光ファイバに交差し、
前記第３グループの前記光ファイバ、及び前記第４グループの前記光ファイバは、互いに交差することなく、前記第１多心コネクタから前記第２多心コネクタまで延びている、
請求項１に記載の光コネクタ付きファイバ接続構造。
【請求項４】
第１多心コネクタと、第２多心コネクタと、前記第１多心コネクタ及び前記第２多心コネクタを互いに接続する複数の光ファイバとを備えた光コネクタ付きファイバ接続構造であって、
前記複数の光ファイバは、前記第２多心コネクタにおいて２つのグループに配列されており、
前記複数の光ファイバは、前記第１多心コネクタにおいて互いに隣接する２本以上の前記光ファイバを含む少なくとも４つのグループを有し、
前記第１多心コネクタにおける第１グループと第４グループの光ファイバは、それぞれ前記第２多心コネクタにおける互いに異なるグループの同じ位置に配列され、
前記第１多心コネクタにおける第２グループと第３グループの光ファイバは、それぞれ前記第２多心コネクタにおける互いに異なるグループの同じ位置に配列される、
光コネクタ付きファイバ接続構造。
【請求項５】
前記第２多心コネクタにおいて、前記複数の光ファイバは、２つの列のそれぞれに沿って配列されており、
前記２つの列のうち一方の列に配列された前記複数の光ファイバは、前記第１多心コネクタから前記第２多心コネクタに向かう途中で前記第１多心コネクタから延びる他の前記光ファイバに交差しておらず、
前記２つの列のうち他方の列に配列された前記複数の光ファイバは、前記第１多心コネクタから前記第２多心コネクタに向かう途中で前記第１多心コネクタから延びる他の前記光ファイバに交差している、
請求項１〜４のいずれか一項に記載の光コネクタ付きファイバ接続構造。
【請求項６】
前記第１多心コネクタは、複数の光ファイバ保持孔を有し、
前記複数の光ファイバ保持孔のうち一部の光ファイバ保持孔には前記第２多心コネクタまで延びる前記光ファイバが挿入されており、前記複数の光ファイバ保持孔のうち残部の光ファイバ保持孔には前記第２多心コネクタまで延びる前記光ファイバが挿入されていない、
請求項１〜５のいずれか一項に記載の光コネクタ付きファイバ接続構造。
【請求項７】
前記第１多心コネクタには、８本の前記光ファイバが接続されており、
前記第２多心コネクタには、１２×ｎ（ｎは自然数）本の前記光ファイバが接続されている、
請求項１〜６のいずれか一項に記載の光コネクタ付きファイバ接続構造。
【請求項８】
前記第２多心コネクタは、２４心のＭＰＯコネクタである、
請求項１〜７のいずれか一項に記載の光コネクタ付きファイバ接続構造。
【請求項９】
前記第２多心コネクタは、２個の１２心のＭＰＯコネクタを含む、
請求項１〜７のいずれか一項に記載の光コネクタ付きファイバ接続構造。
【請求項１０】
前記光コネクタ付きファイバ接続構造の第１多心コネクタが接続される第１アダプタと、
前記第１アダプタを露出して支持する第１の壁面と、
前記光コネクタ付きファイバ接続構造の第２多心コネクタが接続される第２アダプタと、
前記第２アダプタを露出して支持する第２の壁面と、
前記第１アダプタと前記第２アダプタ間を光接続する請求項１〜９のいずれか一項に記載の光コネクタ付きファイバ接続構造と、
を備えるモジュール。
【請求項１１】
前記第１の壁面、前記第１の壁面と対向する前記第２の壁面、及び、前記第１の壁面と前記第２の壁面とをつなぐ第３の壁面を有し、前記ファイバ接続構造を収納する筐体を備える、
請求項１０に記載のモジュール。
【請求項１２】
請求項１０又は請求項１１に記載の複数のモジュールと、前記複数のモジュール間を光接続する極性Ｃ結線構造と、を備える、
アセンブリ。
【発明の詳細な説明】
【技術分野】
【０００１】
本開示の一側面は、光コネクタ付きファイバ接続構造、モジュール及びアセンブリに関する。
【背景技術】
【０００２】
特許文献１には、多心コネクタを用いる高速光伝送システムが記載されている。高速光伝送システムは、一対のアクティブアセンブリコネクタと、マルチファイバフェルールを有する一対のパッチコードコネクタと、ハーネスとを備える。ハーネスの一端には１個の２４心パッチコードコネクタが設けられており、ハーネスの他端には２個の１２心パッチコードコネクタが設けられている。【０００３】
２４心パッチコネクタの２４個のポートのそれぞれからは光ファイバが延び出しており、複数の光ファイバのそれぞれは各１２心パッチコネクタの１２個のポートのそれぞれに接続されている。２４心パッチコネクタの１番〜６番ポートから延び出す複数の光ファイバ、及び２４心パッチコネクタの１９番〜２４番ポートから延び出す複数の光ファイバ、のそれぞれは、互いに交差することなく１２心パッチコネクタまで延びている。【０００４】
一方、２４心パッチコネクタの７番〜１８番ポートから延び出す複数の光ファイバは、互いにポートの位置が反転された状態で１２心パッチコネクタに到達している。具体的には、２４心パッチコネクタの７番〜１２番ポートのそれぞれから延び出す光ファイバは１２心パッチコネクタの６番〜１番ポートのそれぞれに到達し、２４心パッチコネクタの１３番〜１８番ポートのそれぞれから延び出す光ファイバは１２心パッチコネクタの１２番〜７番ポートのそれぞれに到達している。【０００５】
特許文献２には、パッチコードが記載されている。パッチコードは、１個の２４心フェルールと２個の１２心フェルールとを備える。２４心フェルールの一部の１２個のポートは２個の１２心フェルールのうちの一方にハーネスを介して接続されており、２４心フェルールの残部の１２個のポートは２個の１２心フェルールのうちの他方にハーネスを介して接続されている。【０００６】
ハーネスは、２４本の光ファイバによって構成されている。２４心パッチコネクタの１番〜６番ポートから延び出す複数の光ファイバ、及び２４心パッチコネクタの１９番〜２４番ポートから延び出す複数の光ファイバ、のそれぞれは、互いに交差することなく１２心パッチコネクタまで延びている。一方、２４心パッチコネクタの７番〜１８番ポートから延び出す複数の光ファイバは、互いにポートの位置が反転された状態で１２心パッチコネクタに到達している。すなわち、引用文献２には、引用文献１と同様の光ファイバの接続構造が記載されている。
【先行技術文献】
【特許文献】
【０００７】
【特許文献１】米国特許第８００９９５９号明細書
【特許文献２】米国特許第８２５１５９１号明細書
【発明の概要】
【０００８】
本開示の一側面に係る光コネクタ付きファイバ構造は、第１多心コネクタと、第２多心コネクタと、第１多心コネクタ及び第２多心コネクタを互いに接続する複数の光ファイバとを備えた光コネクタ付きファイバ接続構造であって、複数の光ファイバは、第１多心コネクタにおいて互いに隣接する２本以上の光ファイバを含む少なくとも３つのグループを有し、各グループにおいて、２本以上の光ファイバは、互いに交差することなく第１多心コネクタから第２多心コネクタまで延びており、少なくとも３つのグループのうち２つのグループの光ファイバは、第１多心コネクタから第２多心コネクタに向かう途中で互いに交差しており、２つのグループ以外のグループの光ファイバは、第１多心コネクタから延びる他の光ファイバに交差することなく第１多心コネクタから第２多心コネクタまで延びている。
【０００９】
本開示の別の側面に係る光コネクタ付きファイバ構造は、第１多心コネクタと、第２多心コネクタと、第１多心コネクタ及び第２多心コネクタを互いに接続する複数の光ファイバとを備えた光コネクタ付きファイバ接続構造であって、複数の光ファイバは、第２多心コネクタにおいて２つのグループに配列されており、複数の光ファイバは、第１多心コネクタにおいて互いに隣接する２本以上の光ファイバを含む少なくとも４つのグループを有し、第１多心コネクタにおける第１グループと第４グループの光ファイバは、それぞれ第２多心コネクタにおける互いに異なるグループの同じ位置に配列され、第１多心コネクタにおける第２グループと第３グループの光ファイバは、それぞれ第２多心コネクタにおける互いに異なるグループの同じ位置に配列される。
【００１０】
本開示の一側面に係るモジュールは、光コネクタ付きファイバ接続構造の第１多心コネクタが接続される第１アダプタと、第１アダプタを露出して支持する第１の壁面と、光コネクタ付きファイバ接続構造の第２多心コネクタが接続される第２アダプタと、第２アダプタを露出して支持する第２の壁面と、第１アダプタと第２アダプタ間を光接続する前述した光コネクタ付きファイバ接続構造と、を備える。
【００１１】
本開示の一側面に係るアセンブリは、前述の複数のモジュールと、複数のモジュール間を光接続する極性Ｃ結線構造と、を備える。
【図面の簡単な説明】
【００１２】
【図１】図１は、第１実施形態に係るモジュールを示す平面図である。
【図２】図２は、図１のモジュールの側面図である。
【図３】図３は、図１のモジュールの図２とは反対側の側面図である。
【図４】図４は、図１のモジュールの光コネクタ付きファイバ接続構造の一方の多心コネクタを示す正面図である。
【図５】図５は、図１のモジュールの光コネクタ付きファイバ接続構造の他方の多心コネクタを示す正面図である。
【図６】図６は、第１実施形態に係るアセンブリの極性Ｃ結線構造を備えた光ケーブルの一例を示す図である。
【図７】図７は、第１実施形態に係るアセンブリを模式的に示す図である。
【図８】図８は、図７のアセンブリにおける光ファイバの結線構造を模式的に示す図である。
【図９】図９は、第２実施形態に係るアセンブリにおける光ファイバの結線構造を模式的に示す図である。
【発明を実施するための形態】
【００１３】
［本開示が解決しようとする課題］
前述したように、複数の多心コネクタと、複数の多心コネクタ間を接続する複数の光ファイバとを備えた光コネクタ付き接続構造では、多数の光ファイバが一方の多心コネクタから他方の多心コネクタまで延びているため構成が複雑になりやすい。また、前述したように、一方の多心コネクタのポートのそれぞれから延び出す複数の光ファイバが、互いにポートの位置が反転された状態で他方の多心コネクタに到達する場合、多数の光ファイバの位置が反転されることとなるため、光ファイバに生じるひねりが大きくなることが懸念される。多数の光ファイバに生じるひねりが大きい場合、光ファイバの収納性が低下することが懸念される。
【００１４】
本開示の一側面は、構成を簡易にすることができると共に、光ファイバのひねりを抑えて収納性を高めることができる光コネクタ付きファイバ接続構造、モジュール及びアセンブリを提供することを目的とする。
【００１５】
［本開示の効果］
本開示の一側面によれば、構成を簡易にすることができると共に、光ファイバのひねりを抑えて収納性を高めることができる。
【００１６】
［実施形態の説明］
最初に本開示の実施形態の内容を列記して説明する。一実施形態に係る光コネクタ付きファイバ接続構造は、第１多心コネクタと、第２多心コネクタと、第１多心コネクタ及び第２多心コネクタを互いに接続する複数の光ファイバとを備えた光コネクタ付きファイバ接続構造であって、複数の光ファイバは、第１多心コネクタにおいて互いに隣接する２本以上の光ファイバを含む少なくとも３つのグループを有し、各グループにおいて、２本以上の光ファイバは、互いに交差することなく第１多心コネクタから第２多心コネクタまで延びており、少なくとも３つのグループのうち２つのグループの光ファイバは、第１多心コネクタから第２多心コネクタに向かう途中で互いに交差しており、当該２つのグループ以外のグループの光ファイバは、第１多心コネクタから延びる他の光ファイバに交差することなく第１多心コネクタから第２多心コネクタまで延びている。
【００１７】
一実施形態に係るモジュールは、前述の光コネクタ付きファイバ接続構造の第１多心コネクタが接続される第１アダプタと、第１アダプタを露出して支持する第１の壁面と、光コネクタ付きファイバ接続構造の第２多心コネクタが接続される第２アダプタと、第２アダプタを露出して支持する第２の壁面と、第１アダプタと第２アダプタ間を光接続する前述した光コネクタ付きファイバ接続構造と、を備える。
【００１８】
一実施形態に係るアセンブリは、前述の複数のモジュールと、複数のモジュール間を光接続する極性Ｃ結線構造と、を備える。
【００１９】
一実施形態に係る光コネクタ付きファイバ接続構造、モジュール及びアセンブリは、第１多心コネクタにおいて互いに隣接する２本以上の光ファイバを含む３つ以上のグループを有する。そして、３つ以上のグループのそれぞれにおいて、グループに属する上記２本以上の光ファイバは、互いに交差することなく、第１多心コネクタから第２多心コネクタまで延びている。従って、各グループ内において複数の光ファイバが互いに交差しないように配線されるため、光ファイバに生じるひねりが大きくなることを抑制することができる。また、少なくとも３つのグループのうち２つのグループの光ファイバは第１多心コネクタから第２多心コネクタに向かう途中で互いに交差しており、当該２つのグループ以外のグループの光ファイバは、第１多心コネクタから第２多心コネクタに向かう途中において、第１多心コネクタから延びる他の光ファイバに交差しない。従って、複数の光ファイバ間の交差を更に減らすことができるので、ひねりの増大をより確実に抑制することができる。また、上記のように、複数の光ファイバの交差を減らすことにより、複数の光ファイバの構成を簡易にすることができる。
【００２０】
一実施形態に係る光コネクタ付きファイバ接続構造において、少なくとも３つのグループは、第１グループと、第１グループに隣接する第２グループと、第２グループに隣接する第３グループと、第３グループに隣接する第４グループとを含んでおり、第１グループの光ファイバ、及び第２グループの光ファイバは、第１多心コネクタから延びる他の光ファイバに交差することなく、第１多心コネクタから第２多心コネクタまで延びており、第３グループの光ファイバ、及び第４グループの光ファイバは、第１多心コネクタから第２多心コネクタに向かう途中で互いに交差していてもよい。この場合、４つのグループのうち、第１グループの複数の光ファイバ、及び第２グループの複数の光ファイバを第１多心コネクタから延びる他の光ファイバに交差しないように配線することができる。従って、第１グループ及び第２グループに属する各光ファイバに生じるひねりをより確実に抑えることができる。
【００２１】
一実施形態に係る光コネクタ付きファイバ接続構造において、少なくとも３つのグループは、第１グループと、第１グループに隣接する第２グループと、第２グループに隣接する第３グループと、第３グループに隣接する第４グループとを含んでおり、第１グループの光ファイバは、第１多心コネクタから延びる他の光ファイバに交差することなく、第１多心コネクタから第２多心コネクタまで延びており、第２グループの光ファイバは、第１多心コネクタから第２多心コネクタに向かう途中で第３グループの光ファイバに交差すると共に第４グループの光ファイバに交差し、第３グループの光ファイバ、及び第４グループの光ファイバは、互いに交差することなく、第１多心コネクタから第２多心コネクタまで延びていてもよい。この場合、第１グループの光ファイバ、第３グループの光ファイバ、及び第４グループの光ファイバ、を互いに交差しないように配線することができる。従って、複数の光ファイバの交差を更に減らすことができるので、光ファイバに生じるひねりを減らすと共に構成を簡易にすることができる。
【００２２】
他の実施形態に係る光コネクタ付きファイバ接続構造は、第１多心コネクタと、第２多心コネクタと、第１多心コネクタ及び第２多心コネクタを互いに接続する複数の光ファイバとを備えた光コネクタ付きファイバ接続構造であって、複数の光ファイバは、第２多心コネクタにおいて２つのグループに配列されており、複数の光ファイバは、第１多心コネクタにおいて互いに隣接する２本以上の光ファイバを含む少なくとも４つのグループを有し、第１多心コネクタにおける第１グループと第４グループの光ファイバは、それぞれ第２多心コネクタにおける互いに異なるグループの同じ位置に配列され、第１多心コネクタにおける第２グループと第３グループの光ファイバは、それぞれ第２多心コネクタにおける互いに異なるグループの同じ位置に配列される。
【００２３】
第２多心コネクタにおいて、複数の光ファイバは、２つの列のそれぞれに沿って配列されており、２つの列のうち一方の列に配列された複数の光ファイバは、第１多心コネクタから第２多心コネクタに向かう途中で第１多心コネクタから延びる他の光ファイバに交差しておらず、２つの列のうち他方の列に配列された複数の光ファイバは、第１多心コネクタから第２多心コネクタに向かう途中で第１多心コネクタから延びる他の光ファイバに交差していてもよい。この場合、第２多心コネクタの２つの列のうち一方に配列された複数の光ファイバは第１多心コネクタから延びる他の光ファイバに交差しておらず、他方に配列された複数の光ファイバは第１多心コネクタから延びる他の光ファイバに交差している。従って、一方の列の光ファイバは交差しておらず、他方の列の光ファイバは交差しているので、第２多心コネクタの光ファイバの構成を把握しやすくすることができる。その結果、光ファイバの配線を容易に行うことが可能となる。
【００２４】
第１多心コネクタは、複数の光ファイバ保持孔を有し、複数の光ファイバ保持孔のうち一部の光ファイバ保持孔には第２多心コネクタまで延びる光ファイバが挿入されており、複数の光ファイバ保持孔のうち残部の光ファイバ保持孔には第２多心コネクタまで延びる光ファイバが挿入されていなくてもよい。この場合、第１多心コネクタにおける光ファイバの構成を接続される光トランシーバにおける光ファイバの構成に合わせることができる。
【００２５】
第１多心コネクタには、８本の光ファイバが接続されており、第２多心コネクタには、１２×ｎ（ｎは自然数）本の光ファイバが接続されていてもよい。この場合、第１多心コネクタとして８心の光コネクタを用いると共に、第２多心コネクタとして１２×ｎ心の光コネクタを用いることができる。
【００２６】
第２多心コネクタは、２４心のＭＰＯコネクタであってもよい。この場合、第２多心コネクタとして２４心のＭＰＯコネクタを用いることができる。
【００２７】
第２多心コネクタは、２個の１２心のＭＰＯコネクタを含んでいてもよい。この場合、第２多心コネクタとして、２個の１２心のＭＰＯコネクタを用いることができる。
【００２８】
［実施形態の詳細］
本開示の実施形態に係る光コネクタ付きファイバ接続構造、モジュール及びアセンブリの具体例を図面を参照しながら説明する。本開示は、以下の具体例に限定されるものではなく、請求の範囲に示され、請求の範囲と均等の範囲における全ての変更が含まれることが意図される。図面の説明において、同一又は相当する要素には同一の符号を付し、重複する説明を適宜省略する。また、図面は、理解の容易のため、一部を簡略化又は誇張して描いている場合があり、寸法比率等は図面に記載のものに限定されない。
【００２９】
（第１実施形態）
図１は、第１実施形態に係る例示的なモジュール１を示す平面図である。図２は、モジュール１の側面図である。図３は、モジュール１の図２とは反対側の側面図である。図１〜図３に示されるように、一例として、モジュール１は、データセンタのラックに取り付けられるカセット式の機器であって、ラックの光配線架を構成する。モジュール１は、長手方向である第１方向Ｄ１、幅方向であるＤ２、及び高さ方向である第３方向Ｄ３に延びる矩形箱状の筐体２を備える。
【００３０】
筐体２は、第１方向Ｄ１の一方側を向く第１の壁面２ａ、第１方向Ｄ１の他方側を向く第２の壁面２ｂ、及び、第１の壁面２ａと第２の壁面２ｂとをつなぐ４つの第３の壁面２ｅ、を有する。第１の壁面２ａには第１アダプタ３が支持されて露出しており、第２の壁面２ｂには第２アダプタ４が支持されて露出している。例えば、モジュール１は、複数の第１アダプタ３、及び複数の第２アダプタ４を備える。しかしながら、第１アダプタ３の数、及び第２アダプタ４の数の少なくともいずれかが単数であってもよく、これらの数は適宜変更可能である。
【００３１】
例えば、モジュール１は、ラックに対して着脱される複数のシャーシのそれぞれに取り付けられ、シャーシに嵌合するナイラッチ５を備える。なお、モジュール１は、シャーシ以外のもの（例えばＭＰＯカセットベース）を介してラックに取り付けられてもよい。第１の壁面２ａは第２方向Ｄ２の両端側に突出する一対の突出部２ｃを有し、一対の突出部２ｃのそれぞれをナイラッチ５が第１方向Ｄ１に貫通している。
【００３２】
一例として、モジュール１は６個の第１アダプタ３と２個の第２アダプタ４とを備える。以下では、６個の第１アダプタ３のそれぞれを識別するために第１アダプタ３Ａ、第１アダプタ３Ｂ、第１アダプタ３Ｃ、第１アダプタ３Ｄ、第１アダプタ３Ｅ及び第１アダプタ３Ｆと称することがある。また、２個の第２アダプタ４のそれぞれを識別するために第２アダプタ４Ａ及び第２アダプタ４Ｂと称することがある。
【００３３】
例えば、第１アダプタ３Ａ、第１アダプタ３Ｂ、第１アダプタ３Ｃ、第１アダプタ３Ｄ、第１アダプタ３Ｅ及び第１アダプタ３Ｆは、第１の壁面２ａにおいて格子状に配置されている。第１の壁面２ａにおいて、第１アダプタ３Ａは左から１番目且つ上から１番目の第１アダプタ３を示し、第１アダプタ３Ｂは左から２番目且つ上から１番目の第１アダプタ３を示し、第１アダプタ３Ｃは左から３番目且つ上から１番目の第１アダプタ３を示し、第１アダプタ３Ｄは左から１番目且つ上から２番目の第１アダプタ３を示し、第１アダプタ３Ｅは左から２番目且つ上から２番目の第１アダプタ３を示し、第１アダプタ３Ｆは左から３番目且つ上から２番目の第１アダプタ３を示している。
【００３４】
例えば、第２アダプタ４Ａ及び第２アダプタ４Ｂは、第２の壁面２ｂにおいて第２方向Ｄ２に沿って配置されている。第２の壁面２ｂにおいて、第２アダプタ４Ａは左側の第２アダプタ４を示し、第２アダプタ４Ｂは右側の第２アダプタ４を示している。但し、これらの第１アダプタ３Ａ〜３Ｆ及び第２アダプタ４Ａ，４Ｂの配置は適宜変更可能である。
【００３５】
第１アダプタ３Ａ〜３Ｆのそれぞれの内部には第１多心コネクタ１０Ａ〜１０Ｆのそれぞれが接続しており、第２アダプタ４Ａ，４Ｂの内部には第２多心コネクタ２０Ａ，２０Ｂが接続している。例えば、第１多心コネクタ１０Ａ〜１０Ｆのそれぞれは８心の（８本の光ファイバを備える）ＭＰＯコネクタであり、第１多心コネクタ１０Ａ〜１０Ｆのそれぞれには光トランシーバが接続される。
【００３６】
第２多心コネクタ２０Ａ，２０Ｂのそれぞれは、例えば、２４心の（２４本の光ファイバを備える）ＭＰＯコネクタである。また、第１多心コネクタ１０Ａ〜１０Ｆは互いに同一の多心コネクタであってもよいし、互いに異なる多心コネクタであってもよい。第２多心コネクタ２０Ａ，２０Ｂは、互いに同一の多心コネクタであってもよいし、互いに異なる多心コネクタであってもよい。
【００３７】
図４は、第１多心コネクタ１０Ａを示す正面図である。前述したように、第１多心コネクタ１０Ｂ〜１０Ｆの構成は第１多心コネクタ１０Ａの構成と同一にすることが可能であるため、以下では第１多心コネクタ１０Ｂ〜１０Ｆの詳細な説明を省略する。図４に示されるように、第１多心コネクタ１０Ａは、例えば、複数のガイド孔１１ａ及び複数の光ファイバ保持孔１１ｂを有するフェルール１１と、複数の光ファイバ保持孔１１ｂの一部のそれぞれに挿入された複数の光ファイバＦとを備える。
【００３８】
一例として、フェルール１１の端面には一対のガイド孔１１ａが形成されている。一対のガイド孔１１ａの間には、第２方向Ｄ２に沿って複数の光ファイバ保持孔１１ｂが形成されている。光ファイバ保持孔１１ｂの数は例えば１２であり、１２心用ＭＰＯコネクタとして規格化されているものが好適に用いられる。複数の光ファイバ保持孔１１ｂのうち、一部の光ファイバ保持孔１１ｂには光ファイバＦが挿入されており、光ファイバ保持孔１１ｂに挿入された光ファイバＦのそれぞれは第２多心コネクタ２０Ａまで延びている。例えば、残部の光ファイバ保持孔１１ｂには光ファイバＦは挿入されていない。
【００３９】
例えば、複数の光ファイバ保持孔１１ｂのうち、第２方向Ｄ２の両端側に位置する複数の光ファイバ保持孔１１ｂには光ファイバＦが挿入されており、光ファイバ保持孔１１ｂに挿入された光ファイバＦのそれぞれは第２多心コネクタ２０Ａまで延びている。例えば、第２方向Ｄ２の中央側に位置する複数の光ファイバ保持孔１１ｂには光ファイバＦが挿入されていない。本実施形態では、第２方向Ｄ２の両端側に位置する８個の光ファイバ保持孔１１ｂには光ファイバＦが挿入されており、これらの光ファイバＦのそれぞれは第２多心コネクタ２０Ａまで延びている。第２方向Ｄ２の中央側に位置する４個の光ファイバ保持孔１１ｂには第２多心コネクタ２０Ａまで延びる光ファイバＦは挿入されていない。
【００４０】
残部の光ファイバ保持孔１１ｂ（第２多心コネクタ２０Ａまで延びる光ファイバＦが挿入されていない光ファイバ保持孔１１ｂ）には当該孔を埋めるダミー材が挿入されていてもよい。ダミー材としては、例えば、光ファイバＦと同等の外径を有するガラスファイバ、ガラス棒又はセラミクス材等が用いられる。これらのダミー材は、フェルール１１内に収まる程度の長さであることが好ましい。また、１２心用ＭＰＯフェルールであるフェルール１１において、ダミー材を埋めるべき孔に相当する部分のみ、光ファイバ保持孔１１ｂが形成されていないものも使用可能である。
【００４１】
図５は、第２多心コネクタ２０Ａを示す正面図である。前述したように、第２多心コネクタ２０Ｂの構成は第２多心コネクタ２０Ａの構成と同一にすることが可能であるため、以下では第２多心コネクタ２０Ｂの詳細な説明を適宜省略する。図５に示されるように、第２多心コネクタ２０Ａは、例えば、複数のガイド孔２１ａ及び複数の光ファイバ保持孔２１ｂを有するフェルール２１と、複数の光ファイバ保持孔２１ｂのそれぞれに挿入された複数の光ファイバＦとを備える。
【００４２】
例えば、一対のガイド孔２１ａが、前述したガイド孔１１ａと同様、フェルール２１の端面に形成されている。一対のガイド孔２１ａの間には、第２方向Ｄ２に延びる２つの列Ｌのそれぞれに沿って複数の光ファイバ保持孔２１ｂが形成されている。光ファイバ保持孔２１ｂの数は、例えば２４であり、各列Ｌに１２個の光ファイバ保持孔２１ｂが第２方向Ｄ２に沿って配置されている。
【００４３】
図６は、第２多心コネクタ２０Ａに接続される例示的なＭＰＯケーブルＣを示す図であり、例えば２４心ラウンドコード又はそれらを束ねた集合体である。図６に示されるように、ＭＰＯケーブルＣは、両端のそれぞれに多心コネクタＣ１，Ｃ２を備えており、多心コネクタＣ１，Ｃ２のそれぞれは第２多心コネクタ２０Ａ，２０Ｂのそれぞれに接続する。例えば、ＭＰＯケーブルＣは、トランクケーブルＣ３とトランクケーブルＣ３の両端のそれぞれから２本ずつ延び出すラウンドコードＣ４とを備える。トランクケーブルＣ３から延び出す２本のラウンドコードＣ４のうちの一方には多心コネクタＣ１が設けられ、２本のラウンドコードＣ４のうちの他方には多心コネクタＣ２が設けられる。
【００４４】
図７は、前述したＭＰＯケーブルＣを備えたアセンブリ１００の構成を模式的に示す図である。図７は、ＭＰＯケーブルＣの多心コネクタＣ１の接続に関するアセンブリ１００の構成を示している。アセンブリ１００は、複数のモジュール１と、複数のモジュール１間を光接続するＭＰＯケーブルＣとを備える。ＭＰＯケーブルＣの各多心コネクタＣ１は、各モジュール１の第２多心コネクタ２０Ａに接続される。第２多心コネクタ２０Ａは、各モジュール１の第１多心コネクタ１０Ａ〜１０Ｃに複数の光ファイバＦを介して接続されている。本実施形態において、モジュール１の内部の光ファイバＦは、リボンファイバ等、纏められた態様ではなく、単線のケーブルとして設けられる。なお、複数の光ファイバＦは、纏められていてもよく、リボンファイバ等の一部が単心光ファイバに分離されたものであってもよい。また、複数の光ファイバＦは、単心光ファイバの少なくとも一部が纏められたものであってもよい。
【００４５】
図８は、アセンブリ１００の結線構造を示す図である。図８に示されるように、各モジュール１において、第１多心コネクタ１０Ａ〜１０Ｃのそれぞれには８本の光ファイバＦが接続されており、第２多心コネクタ２０Ａには２４本の光ファイバＦが接続されている。また、一対の第２多心コネクタ２０Ａ（多心コネクタＣ１）同士の間には、２４本の光ファイバＨが延びている。
【００４６】
以下では、第１多心コネクタ１０Ａにおける光ファイバＦの接続部のそれぞれを第１〜第８ポート、第１多心コネクタ１０Ｂにおける光ファイバＦの接続部のそれぞれを第９〜第１６ポート、第１多心コネクタ１０Ｃにおける光ファイバＦの接続部のそれぞれを第１７〜第２４ポートとする。また、第２多心コネクタ２０Ａの一方側の列Ｌにおける光ファイバＦの接続部のそれぞれを第１〜第１２ポート、他方側の列Ｌにおける光ファイバＦの接続部のそれぞれを第１３〜第２４ポートとする。なお、図８及び後述する図９の四角内の各数字は上記のポート番号を示している。また、各光ファイバＦは、第１多心コネクタ１０Ａ，１０Ｂ，１０Ｃ及び第２多心コネクタ２０Ａのそれぞれにおいて上記のポート番号の順に並んでいる。
【００４７】
複数のモジュール１の間には、複数のモジュール１間を光接続する極性Ｃ結線構造が設けられる。ここで、極性Ｃ結線構造とは、米国規格協会によって定められたＴＩＡ−５６８．３他にて定義される極性Ｃ構造を指す。以下では、２４心ＭＰＯコネクタを用いた例を説明する。また、本実施形態では、極性Ｃ結線構造として、互いに隣り合う奇数番偶数番のポートから延びる光ファイバＨが相手側光コネクタのポートにおいて入れ替わる構造を示している。具体例として、本実施形態の極性Ｃ結線構造では、一方の第２多心コネクタ２０Ａの第１〜第２４ポートのそれぞれから延びる光ファイバＨは、他方の第２多心コネクタ２０Ａにおいて、第１４ポート、第１３ポート、第１６ポート、第１５ポート、第１８ポート、第１７ポート、第２０ポート、第１９ポート、第２２ポート、第２１ポート、第２４ポート、第２３ポート、第２ポート、第１ポート、第４ポート、第３ポート、第６ポート、第５ポート、第８ポート、第７ポート、第１０ポート、第９ポート、第１２ポート、第１１ポートのそれぞれに接続されている。
【００４８】
第１多心コネクタ１０Ａは、第１ポート及び第２ポートを含む第１グループＧ１と、第３ポート及び第４ポートを含む第２グループＧ２と、第５ポート及び第６ポートを含む第３グループＧ３と、第７ポート及び第８ポートを含む第４グループＧ４とを備える。第１多心コネクタ１０Ｂは、第９ポート及び第１０ポートを含む第１グループＧ１と、第１１ポート及び第１２ポートを含む第２グループＧ２と、第１３ポート及び第１４ポートを含む第３グループＧ３と、第１５ポート及び第１６ポートを含む第４グループＧ４とを備える。第１多心コネクタ１０Ｃは、第１７ポート及び第１８ポートを含む第１グループＧ１と、第１９ポート及び第２０ポートを含む第２グループＧ２と、第２１ポート及び第２２ポートを含む第３グループＧ３と、第２３ポート及び第２４ポートを含む第４グループＧ４とを備える。
【００４９】
以下では、本実施形態に係る光コネクタ付きファイバ接続構造３０の詳細について説明する。例えば、光コネクタ付きファイバ接続構造３０は、第１多心コネクタ１０Ａ〜１０Ｃのいずれかと第２多心コネクタ２０Ａとを備える。第１多心コネクタ１０Ａの第１グループＧ１及び第２グループＧ２の光ファイバＦは、第１多心コネクタ１０Ａの第１〜第４ポートのそれぞれから第２多心コネクタ２０Ａの第１〜第４ポートのそれぞれに延びている。
【００５０】
第１多心コネクタ１０Ａの第３グループＧ３の光ファイバＦは、第１多心コネクタ１０Ａの第５ポート及び第６ポートのそれぞれから第２多心コネクタ２０Ａの第１５ポート及び第１６ポートのそれぞれに延びている。第１多心コネクタ１０Ａの第４グループＧ４の光ファイバＦは、第１多心コネクタ１０Ａの第７ポート及び第８ポートのそれぞれから第２多心コネクタ２０Ａの第１３ポート及び第１４ポートのそれぞれに延びている。また、第１多心コネクタ１０Ａの第３グループＧ３から延び出す光ファイバＦは、第１多心コネクタ１０Ａの第４グループＧ４から延び出す光ファイバＦと、第２多心コネクタ２０Ａに到達するまでに交差している。
【００５１】
第１多心コネクタ１０Ｂの第１グループＧ１及び第２グループＧ２の光ファイバＦは、第１多心コネクタ１０Ｂの第９〜第１２ポートのそれぞれから第２多心コネクタ２０Ａの第５〜第８ポートのそれぞれに延びている。第１多心コネクタ１０Ｂの第３グループＧ３の光ファイバＦは、第１多心コネクタ１０Ｂの第１３ポート及び第１４ポートのそれぞれから第２多心コネクタ２０Ａの第１９ポート及び第２０ポートのそれぞれに延びている。
【００５２】
第１多心コネクタ１０Ｂの第４グループＧ４の光ファイバＦは、第１多心コネクタ１０Ｂの第１５ポート及び第１６ポートのそれぞれから第２多心コネクタ２０Ａの第１７ポート及び第１８ポートのそれぞれに延びている。また、第１多心コネクタ１０Ｂの第３グループＧ３から延び出す光ファイバＦは、第１多心コネクタ１０Ｂの第４グループＧ４から延び出す光ファイバＦと、第２多心コネクタ２０Ａに到達するまでに交差している。
【００５３】
第１多心コネクタ１０Ｃの第１グループＧ１及び第２グループＧ２の光ファイバＦは、第１多心コネクタ１０Ｃの第１７〜第２０ポートのそれぞれから第２多心コネクタ２０Ａの第９〜第１２ポートのそれぞれに延びている。第１多心コネクタ１０Ｃの第３グループＧ３の光ファイバＦは、第１多心コネクタ１０Ｃの第２１ポート及び第２２ポートのそれぞれから第２多心コネクタ２０Ａの第２３ポート及び第２４ポートのそれぞれに延びている。
【００５４】
第１多心コネクタ１０Ｃの第４グループＧ４の光ファイバＦは、第１多心コネクタ１０Ｃの第２３ポート及び第２４ポートのそれぞれから第２多心コネクタ２０Ａの第２１ポート及び第２２ポートのそれぞれに延びている。また、第１多心コネクタ１０Ｃの第３グループＧ３から延び出す光ファイバＦは、第１多心コネクタ１０Ｃの第４グループＧ４から延び出す光ファイバＦと、第２多心コネクタ２０Ａに到達するまでに交差している。
【００５５】
以上、光コネクタ付きファイバ接続構造３０の詳細について説明した。しかしながら、光コネクタ付きファイバ接続構造３０における光ファイバＦの構成は上記に限られず適宜変更可能である。例えば、グループは第１グループＧ１、第２グループＧ２、第３グループＧ３及び第４グループＧ４の４グループに限られず、グループの数は少なくとも３つ以上あればよい。また、各グループに属する光ファイバＦの本数は、２本に限られず、３本以上であってもよい。以下では、光コネクタ付きファイバ接続構造３０の構成と作用効果について説明する。
【００５６】
光コネクタ付きファイバ接続構造３０において、複数の光ファイバＦは、第１多心コネクタ１０Ａにおいて互いに隣接する２本以上の光ファイバＦを含む少なくとも３つのグループを有する。各グループにおいて、２本以上の光ファイバＦは、互いに交差することなく第１多心コネクタ１０Ａから第２多心コネクタ２０Ａまで延びている。
【００５７】
少なくとも３つのグループのうち２つのグループ（例えば第３グループＧ３及び第４グループＧ４）の光ファイバＦは、第１多心コネクタ１０Ａから第２多心コネクタ２０Ａに向かう途中で互いに交差している。そして、当該２つのグループ以外のグループ（例えば第１グループＧ１及び第２グループＧ２）の光ファイバＦは、第１多心コネクタ１０Ａから延びる他の光ファイバＦに交差することなく第１多心コネクタ１０Ａから第２多心コネクタ２０Ａまで延びている。
【００５８】
以上、本実施形態に係る光コネクタ付きファイバ接続構造３０、モジュール１及びアセンブリ１００は、第１多心コネクタ１０Ａにおいて互いに隣接する２本以上の光ファイバＦを含む３つ以上のグループを有する。そして、３つ以上のグループのそれぞれにおいて、グループに属する上記２本以上の光ファイバＦは、互いに交差することなく、第１多心コネクタ１０Ａから第２多心コネクタ２０Ａまで延びている。従って、各グループ内において複数の光ファイバＦが互いに交差しないように配線可能であるため、光ファイバＦに生じるひねりが大きくなることを抑制することができる。
【００５９】
また、少なくとも３つのグループのうち２つのグループの光ファイバＦは第１多心コネクタ１０Ａから第２多心コネクタ２０Ａに向かう途中で互いに交差しており、当該２つのグループ以外のグループの光ファイバＦは、第１多心コネクタ１０Ａから第２多心コネクタ２０Ａに向かう途中において、第１多心コネクタ１０Ａから延びる他の光ファイバＦに交差しない。従って、複数の光ファイバＦ間の交差を更に減らすことができるので、ひねりの増大をより確実に抑制することができる。また、上記のように、複数の光ファイバＦの交差を減らすことにより、複数の光ファイバＦの構成を簡易にすることができる。
【００６０】
また、光コネクタ付きファイバ接続構造３０において、少なくとも３つのグループは、第１グループＧ１と、第１グループＧ１に隣接する第２グループＧ２と、第２グループＧ２に隣接する第３グループＧ３と、第３グループＧ３に隣接する第４グループＧ４とを含む。第１グループＧ１の光ファイバＦ、及び第２グループＧ２の光ファイバＦは、第１多心コネクタ１０Ａから延びる他の光ファイバＦに交差することなく、第１多心コネクタ１０Ａから第２多心コネクタ２０Ａまで延びている。
【００６１】
第３グループＧ３の光ファイバＦ、及び第４グループＧ４の光ファイバＦは、第１多心コネクタ１０Ａから第２多心コネクタ２０Ａに向かう途中で互いに交差している。よって、４つのグループのうち、第１グループＧ１の複数の光ファイバＦ、及び第２グループＧ２の複数の光ファイバＦを第１多心コネクタ１０Ａから延びる他の光ファイバＦに交差しないように配線することができる。従って、第１グループＧ１及び第２グループＧ２に属する各光ファイバＦに生じるひねりをより確実に抑えることができる。
【００６２】
第２多心コネクタ２０Ａにおいて、複数の光ファイバＦは、２つの列Ｌのそれぞれに沿って配列されており、２つの列Ｌのうち一方の列（例えば第２多心コネクタ２０Ａの第１〜第１２ポート）に配列された複数の光ファイバＦは、第１多心コネクタ１０Ａから第２多心コネクタ２０Ａに向かう途中で第１多心コネクタ１０Ａから延びる他の光ファイバＦに交差しておらず、他方の列（例えば第２多心コネクタ２０Ａの第１３〜第２４ポート）に配列された複数の光ファイバＦは、第１多心コネクタ１０Ａから第２多心コネクタ２０Ａに向かう途中で第１多心コネクタ１０Ａから延びる他の光ファイバＦに交差している。
【００６３】
この場合、第２多心コネクタ２０Ａの２つの列Ｌのうち一方（例えば第１〜第１２ポート）に配列された複数の光ファイバＦは第１多心コネクタ１０Ａから延びる他の光ファイバＦに交差しておらず、他方（例えば第１３〜第２４ポート）に配列された複数の光ファイバＦは第１多心コネクタ１０Ａから延びる他の光ファイバＦに交差している。従って、一方の列Ｌの光ファイバＦは交差しておらず、他方の列Ｌの光ファイバＦは交差しているので、第２多心コネクタ２０Ａの光ファイバＦの構成を把握しやすくすることができる。その結果、光ファイバＦの配線を容易に行うことができる。以上の作用効果は、第１多心コネクタ１０Ｂと第２多心コネクタ２０Ａとの関係、及び第１多心コネクタ１０Ｃと第２多心コネクタ２０Ａとの関係からも同様に得られるので一層顕著な効果を奏する。
【００６４】
上記の例では、第２多心コネクタ２０Ａの２つの列Ｌのうち一方（例えば第１〜第１２ポート）と、他方（例えば第１３〜第２４ポート）に配列された複数の光ファイバＦの関係について説明したが、第２多心コネクタ２０Ａが２つの１２心コネクタである場合、即ち前記第１〜第１２ポートに相当する光ファイバ保持孔１１ｂを有する一の第２多心コネクタ２０Ａと、前記第１３〜第２４ポートに相当する光ファイバ保持孔１１ｂを有する他の第２多心コネクタ２０Ａとの場合も上記と同様の効果を有する。
【００６５】
また、光コネクタ付きファイバ接続構造３０において、第１グループＧ１の光ファイバＦは第１多心コネクタ１０Ａの第１ポート及び第２ポートのそれぞれから第２多心コネクタ２０Ａの第１ポート及び第２ポートのそれぞれに延びている。第１多心コネクタ１０Ａの第４グループＧ４の光ファイバＦは第７ポート及び第８ポートのそれぞれから第２多心コネクタ２０Ａの第１３ポート及び第１４ポートのそれぞれに延びている。第１多心コネクタ１０Ａの第２グループＧ２の光ファイバＦは第３ポート及び第４ポートのそれぞれから第２多心コネクタ２０Ａの第３ポート及び第４ポートのそれぞれに延びている。第１多心コネクタ１０Ａの第３グループＧ３の光ファイバＦは第５ポート及び第６ポートのそれぞれから第２多心コネクタ２０Ａの第１５ポート及び第１６ポートのそれぞれに延びている。
【００６６】
ここで、第２多心コネクタ２０Ａの第１ポートから第１２ポートまでを一のグループ、第２多心コネクタ２０Ａの第１３ポートから第２４ポートまでを他のグループとすると、第１ポートと第１３ポート、第２ポートと第１４ポート、第３ポートと第１５ポート、第４ポートと第１６ポート、第５ポートと第１７ポート、第６ポートと第１８ポート、第７ポートと第１９ポート、第８ポートと第２０ポート、第９ポートと第２１ポート、第１０ポートと第２２ポート、第１１ポートと第２３ポート、第１２ポートと第２４ポート、のそれぞれの関係は、第２多心コネクタ２０Ａにおいて互いに異なるグループであって且つ同じ位置に相当する。すなわち、第２多心コネクタ２０Ａにおいて、第１ポートと第１３ポート、第２ポートと第１４ポート、以下同様に第１２ポートと第２４ポート、のそれぞれは、互いに異なるグループの同じ位置に配置されている。
【００６７】
第１多心コネクタ１０Ａにおける第１グループＧ１と第４グループＧ４の各光ファイバＦは、それぞれ第２多心コネクタ２０Ａの互いに異なるグループの同じ位置（第１ポート及び第２ポートと、第１３ポート及び第１４ポート）に配列されている。第１多心コネクタ１０Ａにおける第２グループＧ２と第３グループＧ３の各光ファイバＦは、それぞれ第２多心コネクタ２０Ａの互いに異なるグループの同じ位置（第３ポート及び第４ポートと、第１５ポート及び第１６ポート）に配列される。第１多心コネクタ１０Ｂと第２多心コネクタ２０Ａとの関係、及び第１多心コネクタ１０Ｃと第２多心コネクタ２０Ａとの関係、についても同様である。また、全く同じ構造を有する２つのモジュール１を用いると共に、光接続媒体として標準規格品である極性Ｃ結線構造（ケーブル等）を使用することにより、特殊な部品を使用しなくても、各モジュール１側で互いに同一の光配線形態としつつ、双方向の光送受信ラインを形成することができる。
【００６８】
図４に示されるように、第１多心コネクタ１０Ａ〜１０Ｃのそれぞれは、複数の光ファイバ保持孔１１ｂを有する。複数の光ファイバ保持孔１１ｂのうち一部の光ファイバ保持孔１１ｂには光ファイバＦが挿入されており、複数の光ファイバ保持孔１１ｂのうち残部の光ファイバ保持孔１１ｂには光通信に寄与する光ファイバＦは挿入されていなくてもよい。この場合、第１多心コネクタ１０Ａ〜１０Ｃのそれぞれにおける光ファイバＦの構成を接続される光トランシーバの光ファイバの構成に合わせることができる。
【００６９】
光コネクタ付きファイバ接続構造３０において、第１多心コネクタ１０Ａ，１０Ｂ，１０Ｃのそれぞれには、８本の光ファイバＦが接続されており、第２多心コネクタ２０Ａには、１２×ｎ（ｎは自然数）本の光ファイバＦが接続されていてもよい。この場合、第１多心コネクタ１０Ａ〜１０Ｃとして８心の光コネクタを用いると共に、第２多心コネクタ２０Ａとして１２×ｎ心の光コネクタを用いることができる。
【００７０】
光コネクタ付きファイバ接続構造３０において、第２多心コネクタ２０Ａは、２４心のＭＰＯコネクタであってもよい。この場合、第２多心コネクタ２０Ａとして２４心のＭＰＯコネクタを用いることができる。一方、２４心のＭＰＯコネクタに代えて、第２多心コネクタは、２個の１２心のＭＰＯコネクタを含んでいてもよい。このように、第２多心コネクタの個数及び心数は適宜変更可能である。同様に、第１多心コネクタの個数及び心数、並びに光ファイバの本数についても適宜変更可能である。
【００７１】
（第２実施形態）
次に、図９を参照しながら第２実施形態に係る光コネクタ付きファイバ接続構造４０、モジュール１Ａ、及びアセンブリ１００Ａについて説明する。図９に示されるように、第２実施形態では、モジュール１Ａの内部における光ファイバＦの構成が第１実施形態と相違している。以下では、第１実施形態と重複する説明を適宜省略する。
【００７２】
光コネクタ付きファイバ接続構造４０において、第１多心コネクタ１０Ａの第１グループＧ１の光ファイバＦは、第１多心コネクタ１０Ａの第１ポート及び第２ポートのそれぞれから第２多心コネクタ２０Ａの第１ポート及び第２ポートのそれぞれに延びている。第１多心コネクタ１０Ａの第２グループＧ２の光ファイバＦは、第１多心コネクタ１０Ａの第３ポート及び第４ポートのそれぞれから第２多心コネクタ２０Ａの第１５ポート及び第１６ポートのそれぞれに延びている。
【００７３】
第１多心コネクタ１０Ａの第２グループＧ２の光ファイバＦは、第１多心コネクタ１０Ａの第３グループＧ３から延び出す光ファイバＦと交差し、その後、第１多心コネクタ１０Ａの第４グループＧ４から延び出す光ファイバＦと交差してから第２多心コネクタ２０Ａに到達する。第１多心コネクタ１０Ａの第３グループＧ３の光ファイバＦは、第１多心コネクタ１０Ａの第５ポート及び第６ポートのそれぞれから第２多心コネクタ２０Ａの第３ポート及び第４ポートのそれぞれに延びている。第１多心コネクタ１０Ａの第４グループＧ４の光ファイバＦは、第１多心コネクタ１０Ａの第７ポート及び第８ポートのそれぞれから第２多心コネクタ２０Ａの第１３ポート及び第１４ポートのそれぞれに延びている。
【００７４】
第１多心コネクタ１０Ｂの第１グループＧ１の光ファイバＦは、第１多心コネクタ１０Ａの第９ポート及び第１０ポートのそれぞれから第２多心コネクタ２０Ａの第５ポート及び第６ポートのそれぞれに延びている。第１多心コネクタ１０Ｂの第２グループＧ２の光ファイバＦは、第１多心コネクタ１０Ｂの第１１ポート及び第１２ポートのそれぞれから第２多心コネクタ２０Ａの第１９ポート及び第２０ポートのそれぞれに延びている。
【００７５】
第１多心コネクタ１０Ｂの第３グループＧ３の光ファイバＦは、第１多心コネクタ１０Ａの第１３ポート及び第１４ポートのそれぞれから第２多心コネクタ２０Ａの第７ポート及び第８ポートのそれぞれに延びている。第１多心コネクタ１０Ｂの第４グループＧ４の光ファイバＦは、第１多心コネクタ１０Ａの第１５ポート及び第１６ポートのそれぞれから第２多心コネクタ２０Ａの第１７ポート及び第１８ポートのそれぞれに延びている。
【００７６】
第１多心コネクタ１０Ｃの第１グループＧ１の光ファイバＦは、第１多心コネクタ１０Ｂの第１７ポート及び第１８ポートのそれぞれから第２多心コネクタ２０Ａの第９ポート及び第１０ポートのそれぞれに延びている。第１多心コネクタ１０Ｃの第２グループＧ２の光ファイバＦは、第１多心コネクタ１０Ｃの第１９ポート及び第２０ポートのそれぞれから第２多心コネクタ２０Ａの第２３ポート及び第２４ポートのそれぞれに延びている。
【００７７】
第１多心コネクタ１０Ｃの第３グループＧ３の光ファイバＦは、第１多心コネクタ１０Ｃの第２１ポート及び第２２ポートのそれぞれから第２多心コネクタ２０Ａの第１１ポート及び第１２ポートのそれぞれに延びている。第１多心コネクタ１０Ｃの第４グループＧ４の光ファイバＦは、第１多心コネクタ１０Ａの第２３ポート及び第２４ポートのそれぞれから第２多心コネクタ２０Ａの第２１ポート及び第２２ポートのそれぞれに延びている。
【００７８】
以上、第２実施形態に係る光コネクタ付きファイバ接続構造４０、モジュール１Ａ及びアセンブリ１００Ａでは、各グループに属する２本以上の光ファイバＦは、互いに交差することなく、第１多心コネクタ１０Ａから第２多心コネクタ２０Ａまで延びている。従って、各グループ内において複数の光ファイバＦを互いに交差しないように配線可能であるため、光ファイバＦに生じるひねりが大きくなることを抑制することができ、第１実施形態と同様の効果が得られる。
【００７９】
また、光コネクタ付きファイバ接続構造４０において、少なくとも３つのグループは、第１グループＧ１と、第１グループＧ１に隣接する第２グループＧ２と、第２グループＧ２に隣接する第３グループＧ３と、第３グループＧ３に隣接する第４グループＧ４とを含む。第１グループＧ１の光ファイバＦは、第１多心コネクタ１０Ａから延びる他の光ファイバＦに交差することなく、第１多心コネクタ１０Ａから第２多心コネクタ２０Ａまで延びている。
【００８０】
第２グループＧ２の光ファイバＦは、第１多心コネクタ１０Ａから第２多心コネクタ２０Ａに向かう途中で第３グループＧ３の光ファイバＦに交差すると共に第４グループＧ４の光ファイバＦに交差する。第３グループＧ３の光ファイバＦ、及び第４グループＧ４の光ファイバＦは、互いに交差することなく、第１多心コネクタ１０Ａから第２多心コネクタ２０Ａまで延びている。従って、第１グループＧ１の光ファイバＦ、第３グループＧ３の光ファイバＦ、及び第４グループＧ４の光ファイバＦ、を互いに交差しないように配線することができる。従って、複数の光ファイバＦの交差を更に減らすことができるので、光ファイバＦに生じるひねりを減らすと共に構成を簡易にすることができる。
【００８１】
また、第１多心コネクタ１０Ａの第１グループＧ１の光ファイバＦは第１ポート及び第２ポートのそれぞれから第２多心コネクタ２０Ａの第１ポート及び第２ポートのそれぞれに延びている。第１多心コネクタ１０Ａの第４グループＧ４の光ファイバＦは第７ポート及び第８ポートのそれぞれから第２多心コネクタ２０Ａの第１３ポート及び第１４ポートのそれぞれに延びている。第１多心コネクタ１０Ａの第２グループＧ２の光ファイバＦは第３ポート及び第４ポートのそれぞれから第２多心コネクタ２０Ａの第１５ポート及び第１６ポートのそれぞれに延びている。第１多心コネクタ１０Ａの第３グループＧ３の光ファイバＦは第５ポート及び第６ポートのそれぞれから第２多心コネクタ２０Ａの第３ポート及び第４ポートのそれぞれに延びている。
【００８２】
前述の第１実施形態と同様、第２多心コネクタ２０Ａの第１ポートから第１２ポートまでを一のグループ、第２多心コネクタ２０Ａの第１３ポートから第２４ポートまでを他のグループとすると、第１ポートと第１３ポート、第２ポートと第１４ポート、以下同様に、第１２ポートと第２４ポート、のそれぞれの関係は、第２多心コネクタ２０Ａにおいて互いに異なるグループであって且つ同じ位置に相当する。すなわち、第２多心コネクタ２０Ａにおいて、第１ポートと第１３ポート、第２ポートと第１４ポート、以下同様に、第１２ポートと第２４ポート、のそれぞれは、互いに異なるグループの同じ位置に配置されている。
【００８３】
第１多心コネクタ１０Ａにおける第１グループＧ１と第４グループＧ４の各光ファイバＦは、それぞれ第２多心コネクタ２０Ａの互いに異なるグループの同じ位置（第１ポート及び第２ポートと、第１３ポート及び第１４ポート）に配列されている。第１多心コネクタ１０Ａにおける第２グループＧ２と第３グループＧ３の各光ファイバＦは、それぞれ第２多心コネクタ２０Ａの互いに異なるグループの同じ位置（第１５ポート及び第１６ポートと、第３ポート及び第４ポート）に配列される。第１多心コネクタ１０Ｂと第２多心コネクタ２０Ａとの関係、及び第１多心コネクタ１０Ｃと第２多心コネクタ２０Ａとの関係、についても同様である。また、全く同じ構造を有する２つのモジュール１Ａを用いると共に、光接続媒体として標準規格品である極性Ｃ結線構造（ケーブル等）を使用することにより、特殊な部品を使用しなくても、各モジュール１Ａ側で互いに同一の光配線形態としつつ、双方向の光送受信ラインを形成することができる。
【００８４】
以上、本開示に係る光コネクタ付きファイバ接続構造、モジュール及びアセンブリの各実施形態について説明した。しかしながら、本開示は、前述した各実施形態及び前述した例のそれぞれに限定されることなく、請求の範囲に記載した要旨を逸脱しない範囲において種々の変形が可能である。すなわち、光コネクタ付きファイバ接続構造、モジュール及びアセンブリの各部の形状、大きさ、数及び配置態様は上記の要旨を変更しない範囲において適宜変更可能である。
【００８５】
例えば、前述の実施形態では、モジュール１に設けられた光コネクタ付きファイバ接続構造３０について説明した。しかしながら、光コネクタ付きファイバ接続構造が取り付けられるモジュールの形状、大きさ及びシャーシに対する取り付けの態様等は、前述したモジュール１に限られず適宜変更可能である。例えば、モジュールは、一つの筐体に収納されたモジュールに限られない。
【００８６】
また、アセンブリは、光コネクタ付きファイバ接続構造の第１多心コネクタが接続される第１アダプタ、それら第１アダプタを支持する第１の壁面、光コネクタ付きファイバ接続構造の第２多心コネクタが接続される第２アダプタ、それら第２アダプタを支持する第２の壁面、及び、これら第１アダプタと第２アダプタ間を光接続する光コネクタ付きファイバ接続構造、を備える第１のモジュールと、他の光コネクタ付きファイバ接続構造の第１多心コネクタが接続される他の第１アダプタ、それら第１アダプタを支持する第３の壁面、更に他の光コネクタ付きファイバ接続構造の第２多心コネクタが接続される第２アダプタ、それら第２アダプタを支持する第４の壁面、及び、これら第１アダプタと第２アダプタ間を光接続する光コネクタ付きファイバ接続構造、を備える第２のモジュールと、これら第１及び第２のモジュール間を光接続する極性Ｃ結線構造と、を備えるアセンブリであってもよい。
【００８７】
また、前述の実施形態では、８心のＭＰＯコネクタである第１多心コネクタ１０Ａ〜１０Ｆと２４心のＭＰＯコネクタである第２多心コネクタ２０Ａ，２０Ｂと光ファイバＦとを備えるモジュール１について説明した。しかしながら、光コネクタの規格はＭＰＯに限定されず適宜変更可能である。
【符号の説明】
【００８８】
１，１Ａ…モジュール、２…筐体、２ａ…第１の壁面、２ｂ…第２の壁面、２ｃ…突出部、２ｅ…第３の壁面、３，３Ａ，３Ｂ，３Ｃ，３Ｄ，３Ｅ，３Ｆ…第１アダプタ、４，４Ａ，４Ｂ…第２アダプタ、５…ナイラッチ、１０Ａ，１０Ｂ，１０Ｃ，１０Ｄ，１０Ｅ，１０Ｆ…第１多心コネクタ、１１，２１…フェルール、１１ａ，２１ａ…ガイド孔、１１ｂ，２１ｂ…光ファイバ保持孔、２０Ａ，２０Ｂ…第２多心コネクタ、３０，４０…光コネクタ付きファイバ接続構造、１００，１００Ａ…アセンブリ、Ｃ…ＭＰＯケーブル、Ｃ１，Ｃ２…多心コネクタ、Ｃ３…トランクケーブル、Ｃ４…ラウンドコード、Ｄ１…第１方向、Ｄ２…第２方向、Ｄ３…第３方向、Ｆ，Ｈ…光ファイバ、Ｇ１…第１グループ、Ｇ２…第２グループ、Ｇ３…第３グループ、Ｇ４…第４グループ、Ｌ…列。
【図１】
2020084774.tif 000003
【図２】
2020084774.tif 000004
【図３】
2020084774.tif 000005
【図４】
2020084774.tif 000006
【図５】
2020084774.tif 000007
【図６】
2020084774.tif 000008
【図７】
2020084774.tif 000009
【図８】
2020084774.tif 000010
【図９】
2020084774.tif 000011
【国際調査報告】
2020084774.tif 000012
2020084774.tif 000013
2020084774.tif 000014
2020084774.tif 000015